(57)【要約】【課題】  建物内部の直交する２面が交わる隅部に接着固定される隅部仕上材が固着するまでの間、隅部仕上材を互いに直交する２面へ押圧するための隅部仕上材の仮保持具であって、隅部仕上げ材に掛ける負荷の方向を状況に応じて選択できる隅部仕上材の仮保持具を提供することを目的とする。【解決手段】  隅部仕上材の仮保持具１は、建物内部の互いに直交する２面が交わって形成される隅部に接着固定される隅部仕上材４を、２面へ押圧するための冶具であって、２面のうち一方の交面２に仮固定される本体部１１と、本体部１１に支持され、一方の交面２に隅部仕上材４の一面を押圧する第１面押圧部１２と、本体部１１に係止され、２面のうち他方の交面３に隅部仕上材４の他面を押圧する第２面押圧部１３と、を具備し、第１面押圧部１２及び第２面押圧部１３は、それぞれ操作可能であることを特徴とする隅部仕上材の仮保持具。【選択図】図１２
2020059970.tif 000002
【特許請求の範囲】
【請求項１】
建物内部の互いに直交する２面が交わって形成される隅部に接着固定される隅部仕上材を、前記２面へ押圧するための隅部仕上材の仮保持具であって、
前記２面のうち一方の交面に仮固定される本体部と、
当該本体部に支持され、前記一方の交面に前記隅部仕上材の一面を押圧する第１面押圧部と、
前記本体部に係止され、前記２面のうち他方の交面に前記隅部仕上材の他面を押圧する第２面押圧部と、を具備し、
前記第１面押圧部及び前記第２面押圧部は、それぞれ操作可能であることを特徴とする隅部仕上材の仮保持具。
【請求項２】
前記第１面押圧部は、前記本体部に一端を固定されたボルトに挿入され、当該ボルトに前記一方の交面と離接近自在に螺着するナットで締付けることにより、前記隅部仕上材の一面を前記一方の交面へ押圧する第１可動部を有することを特徴とする請求項１に記載の隅部仕上材の仮保持具。
【請求項３】
前記本体部は、板厚方向へ貫通する貫通孔を形成された略平板状の板部を有し、
前記第２面押圧部は、前記板部と平行に前記貫通孔へ回転自在に挿入される略平板状の回転部と、当該回転部の一方の板面に係合し、前記回転部を回転させると前記板部に対し平行に移動して前記隅部仕上材の他面を前記他方の交面へ押圧する第２可動部と、を有することを特徴とする請求項１又は請求項２に記載の隅部仕上材の仮保持具。
【請求項４】
前記回転部の一方の板面には、渦巻状の突起が形成され、
前記第２可動部は、前記回転部側の面に前記突起の渦の間に係合する係合片を長手方向に沿って複数形成される細長な係合部と、前記係合部の長手方向の一端から前記回転部側へ突出し、前記隅部仕上材の他面を前記他方の交面へ押圧する板片と、を備えていることを特徴とする請求項３に記載の隅部仕上材の仮保持具。
【請求項５】
前記板片は、前記係合部と反対側の面を前記係合部に対して鈍角となるように形成されていることを特徴とする請求項４に記載の隅部仕上材の仮保持具。
【請求項６】
前記第２可動部は、前記板片の先端に支持され、前記隅部仕上材の一面を前記一方の交面へ押圧するばね鋼を更に備えていることを特徴とする請求項４又は請求項５に記載の隅部仕上材の仮保持具。
【発明の詳細な説明】
【技術分野】
【０００１】
本発明は、建物内部の互いに直交する２面が交わる隅部に幅木や天井見切縁などの隅部仕上材を固着する際に用いる隅部仕上材の仮保持具に関する。
【背景技術】
【０００２】
一般的に、建物内部の垂直面と水平面の２面が交わる隅部には、幅木や天井見切縁などの隅部仕上材が固着される。これらの隅部仕上材は接着剤を塗布されて壁などの垂直面や床などの水平面に接着されることが多いが、接着剤が硬化するまでの間に、隅部仕上材が垂直面や水平面から浮き上がって隙間を生じさせることを防止するため、従来は木片などで隅部仕上材を垂直面や水平面に押圧して仮止めしていた。しかしながら、この従来の施工では木片の形状や設置具合によって隅部仕上材の固着具合にばらつきが生じ、隅部仕上材の浮き上がりを防止できないことがあった。そこで、接着剤が硬化するまでの間、隅部仕上材を垂直面及び水平面に押圧して仮保持する冶具が複数提案されている（例えば特許文献１から特許文献３）。
【０００３】
特許文献１から特許文献３に記載の各冶具は、隅部仕上材の角部に係止して隅部仕上材を水平面及び垂直面に押圧することができ、隅部仕上材の水平面からの浮き上がりのみならず、隅部仕上材の垂直面からの浮き上がりをも防止する点が開示されている。
【先行技術文献】
【特許文献】
【０００４】
【特許文献１】特開２００１―２２０８８７
【特許文献２】特開平１０−１０２７５３
【特許文献３】特開２００５−２７３１６９
【発明の概要】
【発明が解決しようとする課題】
【０００５】
しかしながら、特許文献１から特許文献３に記載の各冶具は、垂直方向からの負荷及び水平方向からの負荷を同時に隅部仕上材に掛ける構造となっているため、どちらか一方向からの負荷のみを隅部仕上材に掛けたい場合であっても負荷を調整することができず、両方向から負荷をかけなければならない。したがって、たとえば一般的に普及しているビニル製幅木のように柔らかい材質の隅部仕上材を床面である水平面に押圧し続けると、隅部仕上材の上端が歪んで美観を損なう可能性がある。また、強度の高くない隅部仕上材に両方向から負荷をかけると隅部仕上材が凹んでしまったり破損したりする虞がある。
【０００６】
そこで、本発明は、上述した課題を鑑みてなされたものであって、建物内部の直交する２面が交わる隅部に接着固定される隅部仕上材が固着するまでの間、隅部仕上材を互いに直交する２面へ押圧するための隅部仕上材の仮保持具であって、隅部仕上材に掛ける負荷の方向を状況に応じて選択できる隅部仕上材の仮保持具を提供することを目的とする。
【課題を解決するための手段】
【０００７】
本発明の隅部仕上材の仮保持具は、建物内部の互いに直交する２面が交わって形成される隅部に接着固定される隅部仕上材を、前記２面へ押圧するための隅部仕上材の仮保持具であって、前記２面のうち一方の交面に仮固定される本体部と、当該本体部に支持され、前記一方の交面に前記隅部仕上材の一面を押圧する第１面押圧部と、前記本体部に係止され、前記２面のうち他方の交面に前記隅部仕上材の他面を押圧する第２面押圧部と、を具備し、第１面押圧部及び第２面押圧部は、それぞれ操作可能であることを特徴としている。
【０００８】
本発明の隅部仕上材の仮保持具は、前記第１面押圧部が、前記本体部に一端を固定されたボルトに挿入され、当該ボルトに前記一方の交面と離接近自在に螺着するナットで締付けることにより、前記隅部仕上材の一面を前記一方の交面へ押圧する第１可動部を有することを特徴としている。
【０００９】
本発明の隅部仕上材の仮保持具は、前記本体部が、板厚方向へ貫通する貫通孔を形成された略平板状の板部を有し、前記第２面押圧部は、前記板部と平行に前記貫通孔へ回転自在に挿入される略平板状の回転部と、当該回転部の一方の板面に係合し、前記回転部を回転させると前記板部に対し平行に移動して前記隅部仕上材の他面を前記他方の交面へ押圧する第２可動部と、を有することを特徴としている。
【００１０】
本発明の隅部仕上材の仮保持具は、前記回転部の一方の板面には、渦巻状の突起が形成され、前記第２可動部は、前記回転部側の面に前記突起の渦の間に係合する係合片を長手方向に沿って複数形成される細長な係合部と、前記係合部の長手方向の一端から前記回転部側へ突出し、前記隅部仕上材の他面を前記他方の交面へ押圧する板片と、を備えていることを特徴としている。
【００１１】
本発明の隅部仕上材の仮保持具は、前記板片は、前記係合部と反対側の面を前記係合部に対して鈍角となるように形成されていることを特徴としている。
【００１２】
本発明の隅部仕上材の仮保持具は、前記第２可動部が、前記板片の先端に支持され、前記隅部仕上材の一面を前記一方の交面へ押圧するばね鋼を更に備えていることを特徴としている。
【発明の効果】
【００１３】
本発明の隅部仕上材の仮保持具によると、隅部仕上材の一面を互いに直交する２面のうち一方の交面に押圧する第１面押圧部と、隅部仕上材の他面を２面のうち他方の交面に押圧する第２面押圧部とを備えているので、本体部を一方の交面に固定し、第１面押圧部及び第２面押圧部によって二方向から隅部仕上材を前記２面へ押圧することにより、隅部仕上材の前記２面からの浮き上がりを防止することができる。また、第１面押圧部及び第２面押圧部はそれぞれ操作可能であるため、隅部仕上材に掛ける負荷の方向を状況に応じて調整することができ、施工性を向上させることができる。
【００１４】
本発明の隅部仕上材の仮保持具によると、第１面押圧部の第１可動部は、ボルトに挿入され、ナットを締付けることによって隅部仕上材の一面を一方の交面へ押圧することができる。したがって、ボルトの長さの範囲内であれば第１可動部の位置を移動させることができるので、様々な厚さの隅部仕上材に対応することが可能となる。また、隅部仕上材の一面を一方の交面へ押圧する必要がない場合は、第１可動部をボルトから取り外して使用することができ、利便性を向上させることができる。
【００１５】
本発明の隅部仕上材の仮保持具によると、第２面押圧部は、回転部を回転すると、第２可動部が本体部の板部と平行に移動して隅部仕上材の他面を他方の交面へ押圧するので、回転部の回転量を調整することで隅部仕上材の押圧する負荷を調整することができ、施工性を向上させることができる。
【００１６】
本発明の隅部仕上材の仮保持具によると、第２可動部の細長な係合部には、回転部に形成される突起の渦の間に係合する係合片が長手方向へ沿って複数形成されているので、回転部を一方向に回転させると、突起の渦の間に係合した係合片は渦に沿って少しずつ係合部の長手方向へ移動し、回転部側へ突出する板片によって隅部仕上材の他面を他方の交面へ効果的に押圧することができる。
【００１７】
本発明の隅部仕上材の仮保持具によると、板片は、係合部と反対側の面を係合部に対して鈍角となるように形成されているので、回転部を回転操作して板片を隅部仕上材に当接させると板片が隅部仕上材の角部に当接することになる。したがって、垂直方向の負荷及び水平方向の負荷を同時に隅部仕上材に掛けることができ、効率良く隅部仕上材を直交する２面へ押圧することが出来る。
【００１８】
本発明の隅部仕上材によると、第１可動部は、板片の先端に支持され、隅部仕上材の一面を一方の交面へ押圧するばね鋼を更に有しているので、回転部を回転操作して板片を隅部仕上材に当接させると、ばね鋼と板片によって、垂直方向の負荷及び水平方向の負荷を同時に隅部仕上材に掛けることができ、効率良く隅部仕上材を押圧することが出来る。
【図面の簡単な説明】
【００１９】
【図１】隅部仕上材の仮保持具を示す正面図。
【図２】図１のＡ−Ａ線断面図。
【図３】第１面押圧部及び第２面押圧部の移動状況を示す断面図。
【図４】（ａ）は本体部の正面図、（ｂ）は本体部の背面図、（ｃ）は（ａ）のＣ−Ｃ線断面図、（ｄ）は（ａ）のＤ−Ｄ線断面図を示す。
【図５】（ａ）は第１面押圧部の正面図、（ｂ）は第１面押圧部の側面図を示す。
【図６】（ａ）は回転部の正面図、（ｂ）は回転部の背面図、（ｃ）は（ａ）のＣ−Ｃ線断面図を示す。
【図７】（ａ）は第２可動部の正面図、（ｂ）は（ａ）のＢ−Ｂ線断面図を示す。
【図８】板片の係合部と反対側の面を係合部に対し鈍角に形成した隅部仕上材の仮保持具によって隅部仕上材を押圧する様子を示す側面図。
【図９】（ａ）はばね鋼を有する第２可動部を備えた隅部仕上材の仮保持具の使用状況を示す正面図、（ｂ）は（ａ）の側面図を示す。
【図１０】（ａ）は蓋部の正面図、（ｂ）は（ａ）のＥ−Ｅ線断面図を示す。
【図１１】隅部仕上材の仮保持具を壁面に固定した様子を示す断面図。
【図１２】隅部仕上材の仮保持具で隅部仕上材を押圧する様子を示す断面図。
【発明を実施するための形態】
【００２０】
以下、本発明に係る隅部仕上材の仮保持具の最良の実施形態について各図を参照しつつ説明する。隅部仕上材の仮保持具は、主に、建物内部の互いに直交する壁面と床面とが交わる隅部に幅木を接着固定するまでの間、幅木を壁面及び床面に押圧して仮保持するために使用される。なお幅木に限らず、壁面と天井面との隅部に設置される天井見切縁や、互いに直交する壁面同士が交わる隅部に設置される壁見切縁などの隅部仕上材を仮保持する際にも使用することができるが、ここでは、隅部仕上材を幅木とし、互いに直交する壁面と床面との隅部に幅木を接着固定するまでの間、隅部仕上材の仮保持具で仮保持する場合について説明する。
【００２１】
隅部仕上材の仮保持具１は、図１及び図１２に示すように、壁面２に仮固定される本体部１１と、本体部１１に支持され、壁面２に隅部仕上材４の一面を押圧する第１面押圧部１２と、本体部１１に係止され、床面３に隅部仕上材４の他面を押圧する第２面押圧部１３と、本体部１１との間に第２面押圧部１３を挟んで本体部１１に固定される蓋部１４と、を具備している。また、隅部仕上材の仮保持具１は、図１２に示すように、本体部１１、第２面押圧部１３、及び蓋部１４を連通する釘などの固定具Ｎによって壁面２に固定される。
【００２２】
本体部１１は、図２、図４、及び図１１に示すように、幅方向の略中央に板厚方向へ貫通する第１貫通孔１１ａを形成された板部１１０と、板部１１０の床面３側を除く縁端から壁面２側へ突出する側板部１１１と、板部１１０から側板部１１１と同じ方向へ突出し、蓋部１４に係合する複数の脚部１１２と、を具備している。また、板部１１０には、板厚方向へ貫通し、固定具Ｎを挿入するための第１固定具用孔１１ｂが第１貫通孔１１ａと間隔を開けて形成されている。
【００２３】
第１面押圧部１２は、図５及び図１２に示すように、一端部が本体部１１よりも床面３側へ突出するとともに、壁面２に直交する方向へ移動する第１可動部１２０と、本体部１１の板部１１０に固定されて第１可動部１２０の他端部を支持し、ボルト１２ａ及びナット１２ｂからなる支持部１２１と、を有している。また、第１可動部１２０は、棒状に形成され、支持部１２１と反対側の一端部を折曲された棒部１２ｃと、棒部１２ｃの先端に固定され、壁面２と略平行な押え板１２ｄとからなり、棒部１２ｃの他端部には径方向へ貫通し、支持部１２１のボルト１２ａに挿入される第２貫通孔１２ｅが形成されている。また、支持部１２１のボルト１２ａは、外周面に雌ねじが形成されており、ボルト１２ａにナット１２ｂが螺着している。第２貫通孔１２ｅの内周面には雌ねじが形成されていないため、棒部１２ｃは通常時ボルト１２ａの長さの範囲内で板部１１０とナット１２ｂとの間を自由に移動させることができるが、図１２に示すように、押さえ板１２ｄを隅部仕上材４に当接させてナット１２ｂを板部１１０に近接する方向へ回転移動させると、ナット１２ｂの締付けによって移動が制御され、棒部１２ｃの一端部が隅部仕上材４側へ押されて押え板１２ｄで隅部仕上材４を壁面２に押圧することができる。
【００２４】
押え板１２ｄは、図１２に示すように、ナット１２ｂを締付けて棒部１２ｃが固定された際に隅部仕上材４に当接する部分であり、隅部仕上材４に直接当接する当接面１２ｆにはクッション性のあるスポンジ状の面材などを貼着してもよい。このような面材を当接面１２ｆに貼着することにより、隅部仕上材４の表面を傷付けずに隅部仕上材４を壁面２に押圧することができる。
【００２５】
なお、第１可動部１２０は、支持部１２１のナット１２ｂを板部１１０から離反する方向へ回転移動させてボルト１２ａから取り外すと容易にボルト１２ａから引き抜くことができるので、隅部仕上材４を壁面２に押圧する必要がない場合は、支持部１２１から第１可動部１２０を取り外して使用してもよい。なお、ボルト１２ａの板部１１０への固定方法は特に限定されず、溶接固定や接着剤による固定、またその他の方法で固定されてもよい。また、図示例ではボルト１２ａの板部１１０への固定位置を隅部仕上材４に近接する位置としているが、別の場所に設置されていてもよい。
【００２６】
第２面押圧部１３は、図１及び図３に示すように、板部１１０と面内方向を揃えて第１貫通孔１１ａに挿入され、板部１１０に回転可能に係止される略板状の回転部１３０と、回転部１３０の一方の板面に係合し、回転部１３０を回転させると板部１１０に対して平行に移動する略板状の第２可動部１３１と、を有している。図２及び図６に示すように、回転部１３０は、第２可動部１３１側の板面に、互いに間隔を開けながら渦の中心に向かって径を漸次縮める渦巻状の突起１３ａが形成され、また、突起１３ａと反対側の板面から突出し、回転部１３０を回転操作するつまみ１３ｂを形成されている。そして、回転部１３０の側面には、側面から側方向へ突出し、板部１１０の第２可動部１３１側の板面に係止する鍔１３ｃが形成されている。
【００２７】
第２可動部１３１は、図２及び図７に示すように、回転部１３０側の面に突起１３ａの渦の間に係合する係合片１３ｅを長手方向に沿って複数形成された細長な板状の係合部１３ｄと、係合部１３ｄの長手方向の一端から板部１１０側へ突出する板片１３ｆと、を有している。
【００２８】
係合部１３ｄの係合片１３ｅは、突起１３ａの渦の間に噛合するようになだらかな円弧状に形成されており、回転部１３０を回転させると係合部１３ｄを長手方向へ移動させることができる。例えば、図６に示す回転部１３０を突起１３ａ側から見て時計回りに回転させていくと、図３に示す突起１３ａの渦の間に噛合した係合片１３ｅは次第に径が大きくなる突起１３ａの外周縁沿いを移動することになり、徐々に図３に示す方向Ｘへ押されて第２可動部１３１全体が方向Ｘへ移動する。反対に、回転部１３０を反時計回りに回転させていくと、図２に示す突起１３ａの渦の間に噛合した係合片１３ｅは次第に径が小さくなる突起１３ａの内周縁沿いを移動することになり、徐々に図３に示す方向Ｙへ押されて第２可動部１３１全体が方向Ｙへ移動する。したがって、回転部１３０の回転方向を変えることにより、第２可動部１３１を所望する方向へ移動させることができる。
【００２９】
係合部１３ｄは、図２及び図７に示すように、板厚方向へ貫通し、固定具Ｎを挿通させるための細長な第２固定具用孔１３ｇを係合片１３ｅと間隔を開けて形成されており、この第２固定具用孔１３ｇは、本体部１１と重ね合わせた際に本体部１１の第１固定具用孔１１ｂと合致する位置に形成されている。また、第２固定具用孔１３ｇは、係合部１３ｄが長手方向へ移動した際に固定具Ｎと干渉することを防止するため長手方向へ細長に形成されている。
【００３０】
板片１３ｆは、図３及び図１２に示すように、第２可動部１３１を方向Ｙへ移動させた際に隅部仕上材４に当接する部分であり、係合部１３ｄと反対側の面、且つ、隅部仕上材４に直接当接する面である面１３ｈにはクッション性のあるスポンジ状の面材などを貼着してもよい。このような面材を面１３ｈに貼着することにより、隅部仕上材４の表面を傷付けずに隅部仕上材４を床面３に押圧することができる。なお、図７等では板片１３ｆの面１３ｈを係合部１３ｄと略直交させているが、図８に示すように、面１３ｈの係合部１３ｄに対する角度θを鈍角としてもよい。このような角度とすることによって、面１３ｈが隅部仕上材４の角部に傾斜して当接することになり、垂直方向の負荷及び水平方向の負荷を同時に隅部仕上材４に掛けることができるので、効率良く隅部仕上材４を押圧することができる。
【００３１】
また、第２可動部１３１は、図９に示すように、板片１３ｆの先端から係合部１３ｄと反対の方向に突出し、板片１３ｆの基端側に屈曲するばね鋼１３ｉを更に設けてもよい。このようなばね鋼１３ｉを設置することにより、板片１３ｆ及びばね鋼１３ｉによって垂直方向の負荷及び水平方向の負荷を同時に隅部仕上材４に掛けることができるので、効率良く隅部仕上材４を押圧することができる。
【００３２】
蓋部１４は、図２及び図１０に示すように、本体部１１内部に収納された第２可動部１３１が落下しないようにするための板状の部材で、板厚方向に貫通し、本体部１１の脚部１１２を挿入するための第３貫通孔１４ａを脚部１１２に対応する位置に形成されている。第３貫通孔１４ａと脚部１１２との固定は、接着固定でもよいし、脚部１１２の先端を第３貫通孔１４ａから突出させ、突出した脚部１１２の先端部に脚部１１２及び第３貫通孔１４ａの径よりも一回り大きな径を有するキャップ（図示しない）を嵌め合せてもよい。後者の場合は、回転部１３０や第２可動部１３１に不具合が生じた際に簡単に蓋部１４を取り外して中の各部材を確認することができるので、メンテナンス性を向上させることができる。また蓋部１４の幅方向の略中央には、板厚方向に貫通し、固定具Ｎを挿入するための第３固定具用孔１４ｂが形成されており、蓋部１４を本体部１１及び第２可動部１３１と重ね合わせた際に第１固定具用孔１１ｂ及び第２固定具用孔１３ｇと合致する位置に形成されている。
【００３３】
続いて、このように形成される隅部仕上材の仮保持具１の使用方法について説明する。図１１に示すように、隅部仕上材４は、壁面２と床面３とが交わって形成される隅部に設置される部材であり、壁面２に接着剤で固定され、接着剤が硬化するまでの間隅部仕上材の仮保持具１によって仮止めされる。
【００３４】
まず図１１に示すように、押え板１２ｄの当接面１２ｆを隅部仕上材４の正面へ向けた状態で、隅部仕上材の仮保持具１を壁面２の隅部仕上材４の上方となる位置に配置する。そして、固定具Ｎを本体部１１の第１固定具用孔１１ｂ、第２可動部１３１の第２固定具用孔１３ｇ、蓋部１４の第３固定具用孔１４ｂに連通させて壁面２を形成する壁ボード２１を支持するスタッド材などの下地材２２に突刺し、隅部仕上材の仮保持具１を壁面２に固定する。
【００３５】
そして、図１２に示すように、第２可動部１３１が隅部仕上材４へ近接する方向へ移動するようにつまみ１３ｂを操作して回転部１３０を回転させ、板片１３ｆを隅部仕上材４の上端に当接させて隅部仕上材４を床面３に押圧する。さらに、第１面押圧部１２の第１可動部１２０を水平移動させて押え板１２ｄを隅部仕上材４に当接させ、支持部１２１のナット１２ｂを板部１１０に近接する方向へ回転させてナット１２ｂを締付け、押え板１２ｄで隅部仕上材４を壁面２に押圧する。
【００３６】
また、隅部仕上材４に塗布された接着剤が十分に硬化した後は、上述と逆の手順で隅部仕上材の仮保持具１を取り外すことができる。すなわち、ナット１２ｂを板部１１０から離反する方向へ回転移動させて押え板１２ｄを隅部仕上材４から離し、つまみ１３ｂを操作して回転部１３０を反対回りに回転させて板片１３ｆを隅部仕上材４から離せばよい。
【００３７】
このように使用される隅部仕上材の仮保持具１は、第１面押圧部１２及び第２面押圧部１３がそれぞれ操作可能であるため、隅部仕上材４に掛ける負荷の方向を状況に応じて選択することができる。つまり、第１面押圧部１２及び第２面押圧部１３をそれぞれ操作することによって、垂直方向及び水平方向の負荷を隅部仕上材４に同時に掛けたい場合や、どちらか一方向からのみの負荷を隅部仕上材４に掛けたい場合に対応することができる。
【００３８】
また本願の隅部仕上材の仮保持具１は、隅部仕上材４の固着される部位に応じて設置方向を変えることにより、幅木だけでなく壁面と天井面とが交わる隅部に設置される天井見切縁や、互いに直交する壁面が交わる隅部に設置される壁見切縁を仮止めする際にも使用することができる。
【００３９】
本発明の実施の形態は上述の形態に限ることなく、本発明の思想の範囲を逸脱しない範囲で適宜変更することができる。
【産業上の利用可能性】
【００４０】
本発明に係る隅部仕上材の仮保持具は、建物内部の互いに直交する壁面と床面とが交わる隅部に幅木を接着固定するまでの間、幅木を壁面及び床面に押圧して仮保持する際に好適に使用することができる。
【符号の説明】
【００４１】
１        隅部仕上材の仮保持具
１１      本体部
１１０    板部
１１ａ    第１貫通孔（貫通孔）
１２      第１面押圧部
１２０    第１可動部
１２ａ    ボルト
１２ｂ    ナット
１２ｄ    押え板
１３      第２面押圧部
１３０    回転部
１３１    第２可動部
１３ａ    突起
１３ｄ    係合部
１３ｅ    係合片
１３ｆ    板片
１３ｉ    ばね鋼
２        垂直面（一方の交面）
３        水平面（他方の交面）
４        隅部仕上材
【図１】
2020059970.tif 000003
【図２】
2020059970.tif 000004
【図３】
2020059970.tif 000005
【図４】
2020059970.tif 000006
【図５】
2020059970.tif 000007
【図６】
2020059970.tif 000008
【図７】
2020059970.tif 000009
【図８】
2020059970.tif 000010
【図９】
2020059970.tif 000011
【図１０】
2020059970.tif 000012
【図１１】
2020059970.tif 000013
【図１２】
2020059970.tif 000014